(57)【要約】      （修正有）【課題】利便性の向上を図った洗車用容器を提供する。【解決手段】洗浄用容器１は、洗車に用いる水を持ち運ぶためのものである。底壁６及び底壁から立設した周壁７を有し、上方に開口を有する箱状の容器本体２と、を備え、底壁から立設して設けられ、容器本体の内部を仕切る仕切り部３と、を備えている。洗車用容器は、仕切り部により、容器本体の内部が仕切られていることで、洗車に用いる洗車用具を洗浄する水等の液体が仕切り部により仕切られた一方と他方に区画されることとなり、洗車用具の汚れに応じて液体を使い分けることができる。【選択図】図１
0003196111.tif 000002
【実用新案登録請求の範囲】
【請求項１】
洗車に用いる水を持ち運ぶための洗車用容器であって、
底壁及び該底壁から立設した周壁を有し、上方に開口を有する箱状の容器本体と、
前記底壁から立設して設けられ、前記容器本体の内部を仕切る仕切り部と、を備えたことを特徴とする洗車用容器。
【請求項２】
前記容器本体の内部には、前記仕切り部により仕切られた複数の槽が形成され、
前記複数の槽のうち少なくとも１つは、他の一つよりも大きいことを特徴とする請求項１記載の洗車用容器。
【請求項３】
前記仕切り部は、その少なくとも一部が前記容器本体に対して着脱自在に設けられ、
前記仕切り部により前記容器本体の内部が仕切られることで形成された複数の槽の容積が変更可能となるように設けられていることを特徴とする請求項１又は請求項２記載の洗車用容器。
【請求項４】
前記容器本体の内部が、前記仕切り部により仕切られた６槽から構成されていることを特徴とする請求項１乃至請求項３のうち何れか一項記載の洗車用容器。
【考案の詳細な説明】
【技術分野】
【０００１】
本考案は、洗車用容器に関する。
【背景技術】
【０００２】
上述した洗車用容器として、雑巾を濯ぐなどして分離した砂や小石等の固形物の再付着を防止して、洗車の際に雑巾に付着した固形物による自動車ボディへの傷付けの抑制を図ったバケツが開示されている（例えば、特許文献１参照）。
【０００３】
特許文献１に記載された従来のバケツは、上方に開口を有する箱状のバケツ本体と、バケツ本体の底側に設置される中間網底と、を備えている。中間網底は、四角又は丸孔のあいた網状に形成され網状部と、網状部から下方に向けて立設形成された複数の足部と、を備えている。このような従来のバケツは、網状部によりバケツ本体の上下が仕切られているから、バケツ内で汚れた雑巾を濯ぐことで分離した汚れのうち固形物（比重が１よりも大きい物質）のみが網状部を通過してバケツ本体の底側に沈殿する。こうして、再度、雑巾を濯いでも、中間網底により、バケツ本体の上下が仕切られることで、固形物の雑巾への再付着の防止を図っている。そして、砂や小石などの固形物の雑巾への再付着を防止して、雑巾に付着した固形物による自動車ボディへの傷付けの抑制を図っている。
【先行技術文献】
【特許文献】
【０００４】
【特許文献１】特開平１１−５６７３４号公報
【考案の概要】
【考案が解決しようとする課題】
【０００５】
ところで、自動車ボディを洗浄する際において、水道の蛇口などの給水設備が遠い場所では、例えば、従来のバケツに水を汲んで運び、その水を使用して行っている。ここで、例えば自動車ボディの洗浄に際して、従来のバケツに汲まれた一杯の水で、汚れた雑巾を濯ぐと、再度雑巾を濯ぐ際には汚れた水で雑巾を濯ぐことになる。従来のバケツでは、該バケツ内で汚れた雑巾を濯ぐことで分離した汚れのうち固形物のみが網状部を通過してバケツ本体の底側に沈殿するが、汚れた水に浮遊する埃等の浮遊物が雑巾に再付着することがある。そして、この汚れた雑巾で自動車ボディを洗浄すると、一旦除去した浮遊物を再び自動車ボディに擦り付けてしまう可能性もある。
【０００６】
本考案の目的は、利便性の向上を図った洗車用容器を提供することにある。
【課題を解決するための手段】
【０００７】
請求項１に記載の本考案は、洗車に用いる水を持ち運ぶための洗車用容器であって、  底壁及び該底壁から立設した周壁を有し、上方に開口を有する箱状の容器本体と、前記底壁から立設して設けられ、前記容器本体の内部を仕切る仕切り部と、を備えたことを特徴とする。
【０００８】
請求項２に記載の本考案は、請求項１に記載の洗車用容器において、前記容器本体の内部には、前記仕切り部により仕切られた複数の槽が形成され、前記複数の槽のうち少なくとも１つは、他の一つよりも大きいことを特徴とする。
【０００９】
請求項３に記載の本考案は、請求項１又は請求項２記載の洗浄用容器において、前記仕切り部は、その少なくとも一部が前記容器本体に対して着脱自在に設けられ、前記仕切り部により前記容器本体の内部が仕切られることで形成された複数の槽の容積が変更可能となるように設けられていることを特徴とする。
【００１０】
請求項４に記載の本考案は、請求項１乃至請求項３のうちいずれか一項に記載の洗浄用容器において、前記容器本体の内部が、前記仕切り部により仕切られた６槽から構成されていることを特徴とする。
【考案の効果】
【００１１】
請求項１に記載の本考案によれば、洗車に用いる水を持ち運ぶための洗車用容器であって、底壁及び該底壁から立設した周壁を有し、上方に開口を有する箱状の容器本体と、底壁から立設して設けられ、容器本体の内部を仕切る仕切り部と、を備えている。即ち、洗車用容器は、仕切り部により、容器本体の内部が仕切られていることで、洗車に用いる洗車用具等の洗車用具を洗浄する水等の液体が、仕切り部により仕切られた一方と他方とに区画されることとなり、洗車用具の汚れに応じて液体を使い分けることができる。これにより、洗車用容器に汲まれた一杯の水を効率よく使うことができ、利便性の向上を図ることができる。
【００１２】
請求項２に記載の本考案によれば、容器本体の内部には、仕切り部により仕切られることで複数の槽が形成され、複数の槽のうち少なくとも１つは、他の一つよりも大きい。即ち、仕切り部により仕切られることで形成された複数の槽は、その容積が異なるように形成されているから、容積が異なる各槽に汲まれた水等の液体を使用者の用途に応じて使い分けることができ、利便性の向上を十分に図ることができる。
【００１３】
請求項３に記載の本考案によれば、仕切り部は、その少なくとも一部が容器本体に対して着脱自在に設けられ、仕切り部により容器本体の内部が仕切られることで形成された複数の槽の容積が変更可能となるように設けられているから、使用者が用途に応じて各槽の容量を変更して使うことができ、利便性の向上を十分に図ることができる。
【００１４】
請求項４に記載の本考案によれば、容器本体の内部が、仕切り部により仕切られた６槽から構成されている。従って、使用者の用途に応じて６つの槽に汲まれた水等の液体を使い分けることができ、利便性の向上を十分に図ることができる。
【図面の簡単な説明】
【００１５】
【図１】本考案の第１実施形態にかかる洗車用容器の斜視図である。
【図２】本考案の第２実施形態にかかる洗車用容器の斜視図である。
【図３】本考案の第３実施形態にかかる洗車用容器の斜視図である。
【図４】本考案の第４実施形態にかかる洗車用容器の斜視図である。
【考案を実施するための形態】
【００１６】
（第１実施形態）
以下、本考案の一例である一実施の形態にかかる洗車用容器１を、図１に基づいて説明する。図１は、本考案の第１実施形態にかかる洗車用容器の斜視図である。
【００１７】
洗車用容器１は、図１に示すように、上方に開口２０を有する容器本体２と、容器本体２の内部を仕切る仕切り部３と、この容器本体２に着脱自在に設けられて容器本体２の開口２０を覆う蓋部４と、容器本体２に回動自在に軸支される提げ手５と、を有して構成されている。
【００１８】
容器本体２は、略矩形状の底壁６と、底壁６の周縁から立設する周壁７と、を備えている。この容器本体２の開口２０を構成する周縁（開口縁２０ａ）は、周壁７の上縁が折り返されて補強されている。開口縁２０ａには、開口２０と同一平面上に位置する上面２０ｂと、この上面２０ｂに垂直な周面２０ｃと、が設けられている。
【００１９】
底壁６は、開口２０に対向する面方向において一方向（以下では、「左右」と記す場合があり、図中の矢印Ｘで示す）に延びる第１、第２直線縁６１、６２と、一方向に直交する他方向（以下では、「前後」と記す場合があり、図中の矢印Ｙで示す）に延びる第３、第４直線縁６３、６４と、底壁６の４隅に設けられて隣接する直線縁６１、６２、６３、６４同士を結ぶ弧状縁６５と、を有している。そして、底壁６は、４隅に弧状縁６５を有する略正方形状となるように形成されている。第１、第２直線縁６１、６２と、第３、第４直線縁６３、６４は、略同じ寸法となるように形成されている。また、底壁６には、その下面の４隅に保護部６６が設けられている。保護部６６は、弧状縁６５に沿う外周縁を有するシート状に形成されて、底壁６における保護部６６以外の部位を、洗車用容器１を設置する面から浮かせつつ、底壁６の４隅を補強するためのものである。
【００２０】
周壁７は、各直線縁６１、６２、６３、６４それぞれから立設する第１、第２、第３、第４側壁７１、７２、７３、７４と、各弧状縁６５それぞれから立設するとともに隣接する側壁７１、７２、７３、７４間に設けられる曲面部７５と、を有している。
【００２１】
各側壁７１、７２、７３、７４は、その下縁（直線縁６１、６２、６３、６４）から上縁に向かうに従って、左右（前後）寸法が大きくなる台形状に形成され、上方に向かうに従って容器本体２の外方向に向かうように傾いて設けられている。また、側壁７１、７２、７３、７４には、その外面から容器本体２の内方側に打ち出されて形成された補強部７０が設けられている。補強部７０は、側壁７１、７２、７３、７４の下縁（底壁６の直線縁６１、６２、６３、６４）の中央部を下底とする台形状に形成されている。
【００２２】
さらに、第３、第４側壁７３、７４には、蓋部４の後述する突出片４６を受け入れる枠状部７６が設けられている。枠状部７６は、第３、第４側壁７３、７４の外面における上端の中央部に、前後方向Ｙに対向する一対の側板７７と、一対の側板７７同士を連結するとともに各側壁７３、７４に対向する連結板７８と、を備えて、上下（図中の矢印Ｚで示す）に貫通する枠状に形成されている。連結板７８には、該連結板７８に形成された図示しない孔と提げ手５の両端部に形成された図示しない孔との周縁同士を重ねて、図示しない軸部をこれらの孔に挿通させて提げ手５の両端部が軸支されている。
【００２３】
仕切り部３は、容器本体２を前後左右に４分割するように上面視が十字状になるように形成されている。こうして、容器本体２は、仕切り部３により仕切られて第１、第２、第３、第４槽３３、３４、３５、３６が形成されている。仕切り部３は、底壁６の中心を通って左右に延びる第１仕切り板３１と、底壁６の中心を通って前後に延びる第２仕切り板３２と、を一体に備えて形成されている。なお、本実施形態では、仕切り部３は、容器本体２に一体に固定されている。即ち、仕切り部３は、容器本体２に着脱不能に設けられている。
【００２４】
第１仕切り板３１は、底壁６から板状に立設して設けられるとともに、第１、第２側壁７１、７２の間に平行に延在形成されている。第２仕切り板３２も第１仕切り板３１と同様に、底壁６から板状に立設して設けられるとともに、第３、第４側壁７３、７４の間に平行に延在形成されている。また、第１、第２仕切り板３１、３２は、上端３ａが、補強部７０の上底７ａと各側壁７１、７２、７３、７４の上縁（開口縁２０ａ）との間に位置するように設けられている。
【００２５】
蓋部４は、矩形板状に形成されて容器本体２の開口２０を覆う蓋本体４１と、蓋本体４１の周縁から立設する垂直周縁部４２と、蓋本体４１と垂直周縁部４２との間に連続されるとともに曲面から構成された曲がり部４３と、を有して構成されている。
【００２６】
また、蓋部４には、その内面に突条に形成された補強リブ４４が設けられている。補強リブ４４は、前後方向Ｙ及び左右方向Ｘに複数本（図示では７本ずつ）が等間隔に延びて格子状に形成されている。各補強リブ４４は、垂直周縁部４２と曲がり部４３との一方の境界から、反対側の他方の境界まで連続形成されているとともに、その先端面４ａが、垂直周縁部４２と曲がり部４３との境界を含む前後及び左右方向ＸＹを含む平面と同一平面になるように形成されている。そして、各補強リブ４４の先端面４ａは、蓋部４が容器本体２の開口２０を覆った状態で、開口縁２０ａの上面２０ｂに対向するように形成されている。
【００２７】
また、蓋部４には、垂直周縁部４２から、開口縁２０ａの周面２０ｃに向けて突出形成された位置決めリブ４５が形成されている。位置決めリブ４５は、上下に延在する突条に形成されているとともに、蓋本体４１の隅部の両側の４本の補強リブ４４それぞれに連続形成されている。そして、蓋部４が容器本体２の開口２０を覆った際に、位置決めリブ４５の先端面４ｂは、開口縁２０ａの周面２０ｃと対向するように形成されている。
【００２８】
こうして、蓋部４が容器本体２の開口２０を覆った状態で、補強リブ４４の先端面４ａが開口縁２０ａの上面２０ｂに接触し、位置決めリブ４５の先端面４ｂが開口縁２０ａの周面２０ｃに接触して、蓋部４の容器本体２に対するがたつきが抑制されている。さらに、蓋部４には、垂直周縁部４２から下方に突出形成されて、枠状部７６内に挿入される突出片４６が設けられている。
【００２９】
このような蓋部４が容器本体２の開口２０を覆った状態では、蓋部４の容器本体２に対するがたつきが抑制されているとともに、人間が蓋部４の上に乗っても、洗車用容器１が破損しない程度の強度を有して構成されている。
【００３０】
提げ手５は、コ字状に形成されていて、その両端部が、第３、第４側壁７３、７４の枠状部７６に回動自在に軸支されている。
【００３１】
続いて、洗車用容器１の使用方法の一例について以下に説明する。
【００３２】
まず、洗車用容器１において、仕切り部３により仕切られた各槽３３、３４、３５，３６に、仕切り部３の上端３ａよりも下方まで水を注いでおく。洗車用容器１に注がれた水を洗車する車両の近傍まで運ぶ。
【００３３】
次に、図示しない洗車用具を第１槽３３に浸して、洗車用具に水を含ませた状態で、車両ボディを撫でて汚れを落とす。車両ボディの汚れが洗車用具に付着する。この後、洗車用具を第１槽３３で濯ぐ。すると、洗車用具に付着した汚れが除去される。第１槽３３内の水は、洗車用具に付着した汚れにより汚染されているから、汚れの再付着を抑制するために、第２槽３４内の水を使って車両ボディを洗浄する。このようにして、第２槽３４内の水が汚染されたら、第３槽３５内の水を使い、第３槽３５内の水が汚れたら、第４槽３６内の水を使って車両用ボディを洗浄する。
【００３４】
または、洗車用容器１の使用方法の他の一例として、例えば、洗車用具の汚れや自動車の洗浄段階に応じて洗浄に用いる液体を、仕切り部３により仕切られた一方に洗浄液を加えた洗浄用とし、他方を濯ぎ用として用いてもよい。
【００３５】
このように、洗車用容器１は、第１、第２仕切り板３１、３２（仕切り部）により、容器本体２の内部が仕切られているから、洗車に用いる洗車用具を洗浄する水等の液体が、第１、第２仕切り板３１、３２により仕切られた一方と他方とに区画されることとなり、洗車用具の汚れに応じて液体を使い分けることができる。これにより、洗車用容器に汲まれた一杯の水を効率よく使うことができ、利便性の向上を図ることができる。
【００３６】
なお、上述した実施形態では、仕切り部３は、容器本体２を前後左右に４分割するように上面視が十字状になるように形成されているが、本考案はこれに限定されるものではない。第１仕切り板３１よりも前後方向Ｙ一方側の第２仕切り板３２の一部が省略されて、仕切り部は、容器本体２を３分割するように上面視がＴ字状になるように形成されていてもよい。この場合において、仕切り部により仕切られることで、容器本体２が前後に２分割されるとともに、前後に２分割された一方がさらに左右に分割されて合計３分割されている。そして、容器本体２が仕切り部により仕切られて形成された複数の槽は、１つの容積が、他の２つの容積よりも大きくなるように形成されている。
【００３７】
このように、容器本体２の内部には、仕切り部３により仕切られることで複数の槽が形成され、複数の槽のうち少なくとも１つは、他の一つよりも大きい。即ち、仕切り部３により仕切られることで形成された複数の槽は、その容積が異なるように形成されているから、容積が異なる各槽に汲まれた水等の液体を使用者の用途に応じて使い分けることができ、利便性の向上を十分に図ることができる。
【００３８】
（第２実施形態）
続いて、第２実施例に係る洗車用容器１Ａについて、図２を参照して説明する。図２は、本考案の第２実施形態にかかる洗車用容器の斜視図である。なお、図２において、上述した実施形態と同一構成乃至同一機能を有する部分には、同一符号を付して説明を省略する。第２実施形態の洗車用容器１Ａと、第１実施形態の洗車用容器１とは、容器本体２、２Ａ、及び仕切り部３、３Ａの構成が異なる。
【００３９】
第２実施形態における洗車用容器１Ａにおいて、容器本体２Ａには、仕切り部３Ａを所定位置までガイドするレール８が設けられている。容器本体２Ａは、略矩形状の底壁６Ａと、底壁６Ａの周縁から立設する周壁７Ａと、を備えている。そして、底壁６Ａは、４隅に弧状縁６５を有する略正方形状となるように形成されている。
【００４０】
レール８は、底壁６Ａにおいて、その中心を通る前後方向Ｙ及び左右方向Ｘに延在して十字状に設けられ、かつ、各側壁７１、７２、７３、７４の下縁（底壁６の直線縁６１、６２、６３、６４）から上方に向けて連続形成されている。このレール８は、容器本体２Ａの内面に形成された突条部８０の上面に溝８１が形成されることで構成されている。この溝８１は、その溝幅寸法が、仕切り部３Ａの板厚寸法よりも僅かに大きくなるように形成されている。このようなレール８に、第１、第２仕切り板３１、３２の側縁３ｂが係止されて、該第１、第２仕切り板３１、３２の下縁３ｃが底壁６Ａに接触する所定位置までガイドされる。そして、第１、第２仕切り板３１、３２の所定位置にて、その下縁３ｃが底壁６Ａの溝８１内に収容されている。こうして、第２実施形態の仕切り部３Ａは、その全体が容器本体２Ａに対して着脱自在に設けられている。
【００４１】
なお、上述した実施形態では、仕切り部３Ａは、その全部が容器本体２Ａに対して着脱自在に設けられているが、本考案はこれに限定されるものではない。仕切り部は、その一部のみが容器本体２Ａに対して着脱自在に設けられていてもよい。即ち、仕切り部は、その一部のみが容器本体２Ａに一体に固定され、他の一部が容器本体２Ａに対して着脱自在に設けられていてもよい。
【００４２】
上述した実施形態によれば、仕切り部３Ａは、容器本体２Ａに対してその一部が着脱自在に設けられ、仕切り部３Ａにより容器本体の内部が仕切られることで形成された複数の槽３３、３４、３５、３６の容積が変更可能となるように設けられているから、使用者が用途に応じて各槽３３、３４、３５、３６の容量を変更して使うことができ、利便性の向上を十分に図ることができる。
【００４３】
（第３実施形態）
続いて、第３実施例に係る洗車用容器１Ｂについて、図３を参照して説明する。図３は、本考案の第３実施形態にかかる洗車用容器の斜視図である。なお、図３において、上述した実施形態と同一構成乃至同一機能を有する部分には、同一符号を付して説明を省略する。第３実施形態の洗車用容器１Ｂと、第１実施形態の洗車用容器１とは、仕切り部３、３Ｂの構成が異なる。
【００４４】
第３実施形態における洗車用容器１Ｂにおいて、仕切り部３Ｂは、４個の小容器１３０から構成されている。これらの小容器１３０は、容器本体２Ｂに対して着脱自在に設けられている。こうして、容器本体２Ｂは、仕切り部３Ｂ、即ち４個の小容器１３０により仕切られて第１〜第４槽３３、３４、３５、３６が形成されている。容器本体２Ｂは、略矩形状の底壁６Ｂと、底壁６Ｂの周縁から立設する周壁７Ｂと、を備えている。そして、底壁６Ｂは、４隅に弧状縁６５を有する略正方形状となるように形成されている。
【００４５】
各小容器１３０は、図３に示すように、底板１６と、底板１６の周縁から立設する周板１７と、を備えている。底板１６は、４隅に弧状縁を有する略正方形状となるように形成されている。各小容器１３０は容器本体２Ｂに収容された状態で、各小容器１３０の上縁１３ａが、容器本体２Ｂの上縁（開口縁２０ａ）よりも下側に位置するように形成されている。
【００４６】
上述した実施形態では、仕切り部３Ｂは、４個の小容器１３０から構成されているが、本考案はこれに限定されるものではない。仕切り部は、２個以上の小容器から構成されていてもよく、３個或いは５個以上の小容器から構成されていてもよい。
【００４７】
また、上述した実施形態では、仕切り部３Ｂは、４個の小容器１３０から構成され、各小容器は、内部に仕切りがない連続空間から構成されているが、本考案はこれに限定されるものではない。小容器としての仕切り部が、その内部を２以上に仕切られて構成されていてもよい。
【００４８】
（第４実施形態）
続いて、第４実施形態に係る洗車用容器１Ｃについて、図４を参照して説明する。図４は、本考案の第４実施形態にかかる洗車用容器の斜視図である。なお、図４において、上述した実施形態と同一構成乃至同一機能を有する部分には、同一符号を付して説明を省略する。第４実施形態の洗車用容器１Ｃと、第１実施形態の洗車用容器１とは、容器本体２、２Ｃ及び仕切り部３、３Ｃの構成が異なる。
【００４９】
第４実施形態における洗車用容器１Ｃにおいて、容器本体２Ｃは、全体形状が略直方体状に形成されている。容器本体２Ｃは、略矩形状の底壁６Ｃと、底壁６Ｃの周縁から立設する周壁７Ｃと、を備えている。そして、底壁６Ｃは、４隅に弧状縁を有する略長方形状となるように形成されている。
【００５０】
仕切り部３Ｃは、容器本体２Ｃを前後２つ、左右３つの合計６分割するように形成されている。こうして、容器本体２Ｃは、仕切り部３Ｃにより仕切られて第１〜第６槽３３、３４、３５、３６、３７、３８が形成されている。即ち、容器本体２Ｃは、仕切り部３Ｃにより仕切られた６槽から構成されている。仕切り部３Ｃは、容器本体２Ｃを左右方向Ｘに三分割するように対向配置される第１、第２仕切り板１３１、１３２と、容器本体２Ｃを前後方向Ｙに二分割するように、第１、第２仕切り板１３１、１３２に直交する第３仕切り部１３３と、を一体に備えて構成されている。
【００５１】
なお、上述した実施形態では、容器本体２、２Ａ、２Ｂ、２Ｃは、底壁６、６Ａ、６Ｂ、６Ｃが、４隅に弧状縁を有する略正方形状又は略長方形状となるように形成されているが本考案はこれに限定されるものではない。底壁は、円形であってもよく、楕円形であってもよく、四角形以上の多角形であってもよい。
【００５２】
また、上述した実施形態では、仕切り部３、３Ａ、３Ｂ、３Ｃ、３Ｄは、容器本体２、２Ａ，２Ｂ、２Ｃ、２Ｄを分割するように上面視が十字状、Ｔ字状になるように形成されている、或いは、複数の小容器１３０から構成された一例を説明したが、本考案はこれに限定されるものではない。仕切り部は、容器本体の内部を２以上に仕切る部材であれば、如何なる形状であってもよい。
【００５３】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００５４】
１、１Ａ、１Ｂ、１Ｃ  洗車用容器
２、２Ａ、２Ｂ、２Ｃ  容器本体
３、３Ａ、３Ｂ、３Ｃ  仕切り部
６、６Ａ、６Ｂ、６Ｃ  底壁
７、７Ａ、７Ｂ、７Ｃ  周壁
【図１】
0003196111.tif 000003
【図２】
0003196111.tif 000004
【図３】
0003196111.tif 000005
【図４】
0003196111.tif 000006